(57)【要約】【課題】  紙供給時に発生する静電気を抑制することが可能な静電防止組成物を提供することにある。【解決手段】  本発明は、シリコンオイルと、非イオン界面活性剤と、水と、静電防止剤とから成る。本発明は、シリコンオイルエマルジョン１〜１０％と、非イオン界面活性剤０．２〜３．０％と、静電防止剤１〜１０％と、水（残量）とから成る。本発明において、非イオン界面活性剤は、ポリオキシエチレンアルキルエーテル、ソルビタン脂肪酸エステルであり、静電防止剤は、両性界面活性剤および／またはカチオン界面活性剤である。本発明において、両性界面活性剤は、ジメチルアルキルラウリルベタインであり、カチオン界面活性剤は、ジアルキルアンモニウム・クロライドであることを特徴とする。【特許請求の範囲】
【請求項１】
シリコンオイルと、非イオン界面活性剤と、水と、静電防止剤とから成ることを特徴とする静電防止組成物。
【請求項２】
シリコンオイルエマルジョン１〜１０％と、
非イオン界面活性剤０．２〜３．０％と、
静電防止剤１〜１０％と、
水（残量）と、
から成ることを特徴とする静電防止組成物。
【請求項３】
請求項１または請求項２記載の静電防止組成物において、
前記非イオン界面活性剤は、ポリオキシエチレンアルキルエーテル、ソルビタン脂肪酸エステルであり、
前記静電防止剤は、両性界面活性剤および／またはカチオン界面活性剤であることを特徴とする静電防止組成物。
【請求項４】
請求項３記載の静電防止組成物において、
前記両性界面活性剤は、ジメチルアルキルラウリルベタインであり、
前記カチオン界面活性剤は、ジアルキルアンモニウム・クロライドであることを特徴とする静電防止組成物。
【発明の詳細な説明】
【技術分野】
【０００１】  本発明は、紙供給時に発生する静電気を抑制する静電防止組成物に関する。
【背景技術】
【０００２】  従来、紙を送り出すときに紙同士の滑り性、離型性を増すことにより、紙の供給をスムーズに行う目的で、シリコンオイルが使用されている。シリコンオイルを非イオン界面活性剤（例えば、ポリオキシエチレンアルキルエーテル、ソルビタン脂肪酸エステルなど）で均一に乳化分散液とし、これを水で希釈して噴霧する方法が行われている。
このように、シリコンオイルを添加することにより、紙の摩擦抵抗を低減できるという利点がある。
なお、これらに該当する技術は、文献として頒布されていないため、ここに出展を明示することができない。
【発明の開示】
【発明が解決しようとする課題】
【０００３】  しかし、例えば、オフセット印刷などのように、高速回転により紙を供給する場合、シリコンオイルを添加した乳化分散液を噴霧するだけでは、紙材が摩擦により帯びる高い静電気によるまとわりつきや、静電気による紙の起毛を解消することはできなかった。そのため、高い静電気を帯びた紙同士が相互に付着し、紙の一定供給を妨げたり、場合によっては機械を停止して静電気を逃がすなどの作業を強いられるという問題があった。
本発明は斯かる従来の問題点を解決するために為されたもので、その目的は、紙供給時に発生する静電気を抑制することが可能な静電防止組成物を提供することにある。
【課題を解決するための手段】
【０００４】  請求項１に係る発明は、シリコンオイルと、非イオン界面活性剤と、水と、静電防止剤とから成ることを特徴とする。
請求項２に係る発明は、シリコンオイルエマルジョン１〜１０％と、非イオン界面活性剤０．２〜３．０％と、静電防止剤１〜１０％と、水（残量）とから成ることを特徴とする。
請求項３に係る発明は、請求項１または請求項２記載の静電防止組成物において、前記非イオン界面活性剤は、ポリオキシエチレンアルキルエーテル、ソルビタン脂肪酸エステルであり、前記静電防止剤は、両性界面活性剤および／またはカチオン界面活性剤であることを特徴とする。
請求項４に係る発明は、請求項３記載の静電防止組成物において、前記両性界面活性剤は、ジメチルアルキルラウリルベタインであり、前記カチオン界面活性剤は、ジアルキルアンモニウム・クロライドであることを特徴とする。
【発明の効果】
【０００５】  本発明によれば、紙供給時に発生する静電気を抑制することができる。
【発明を実施するための最良の形態】
【０００６】  以下、本発明を実施形態により説明する。
本実施形態に係る静電防止組成物は、シリコンオイルと、シリコンオイルの乳化剤として使用する非イオン界面活性剤と、水と、静電防止剤とから成る。
ここで、シリコンオイルとしては、例えば、シリコンオイルエマルジョンを用いる。
非イオン界面活性剤としては、例えば、ポリオキシエチレンアルキルエーテル、ソルビタン脂肪酸エステルなどを用いる。
静電防止剤としては、両性界面活性剤および／またはカチオン界面活性剤を用いる。
両性界面活性剤としては、例えば、アラニン系やイミダゾリニウムペタイン系、特に、化学式１に示すジメチルアルキルラウリルベタイン（例えば、日本油脂株式会社  品名ニッサンアノンＢＬやライオン株式会社の製品名リボミンＬＡ）が好適である。【０００７】
【化１】
2006104429.tif 000002
また、カチオン系界面活性剤としては、例えば、化学式２に示すジアルキルアンモニウムクロライド（例えば、ライオン株式会社の製品名アーカード２ＨＴフレーク、アーカード  ２Ｏ−７５Ｉなど）が好適である。なお、アルキル基としては、ステアリン酸、オレイン酸、ラウリン酸、ミリスチン酸がある。【０００８】
【化２】
2006104429.tif 000003
なお、静電防止剤は、両性界面活性剤またはカチオン界面活性剤あるいは両者を併用することができる。また、併用の場合、配合割合は用途に応じて適宜決めることができる。
本実施形態に係る静電防止組成物の配合例を表１に示す。【０００９】
【表１】
2006104429.tif 000004
ここで、静電防止剤は、１０％を超えると、粘性が高くなり、使用できない。また、１％未満では、静電防止効果が発揮できない。望ましくは、３〜７％である。
シリコンオイルエマルジョンは、１０％を超えると、塗布した紙類にべたつき性が出て、使用できない。また、１％未満では、滑り性の改善が期待できない。
また、アルコール類、グリコール類などの溶剤により薄めることは好ましくない。
また、ノニオン界面活性剤は、シリコンエマルジョンを均一に乳化分散させるために用いられる。３．０％を超えると、乳化分散性で改善効果が認められない。また、０．２％未満では、均一に分散させる効果が期待できない。
凍結防止剤（エチレングリコール）は、寒冷地向けに添加されるもので、凍結のおそれのない地方での使用には添加されない。
水の割合は、配合割合に応じて適宜決められるが、噴霧液を構成するためには、おおよそ８０％あればよい。【００１０】  （実験例）
次に、表２に示す組成の静電防止組成物を用意し、横幅４０ｃｍ、縦幅３０ｃｍ、厚み０．１ｍｍのコート紙に摩擦により静電気を発生させ、コート紙の両端に取り付けた端子から抵抗値を計測したことろ、３０〜３５Ωであった。
次に、上記コート紙に配合例１の組成物を噴霧器で噴霧した後、同様にして抵抗値を測定したところ、殆ど０Ωであった。【００１１】
【表２】
2006104429.tif 000005
（考察）
表２の組成の静電防止組成物は、静電防止剤であるジアルキルアンモニウムクロライドが、コート紙に噴霧されているので、摩擦によって発生する静電気がコート紙に帯電せず、発生した静電気がコート紙に留まることが無くなったものと考えられる。
また、コート紙には、同時にシリコンによる柔軟平滑性を与え、風合いが改善させる。
なお、コート紙は、カタログ、カレンダー、パンフレット、雑誌の表紙、口絵、チラシなどに使用されている。
【産業上の利用可能性】
【００１２】  オフセット印刷においては、高速回転により紙を供給するため、紙材は摩擦により高い静電気を帯び、これによって紙同士がお互いに付着し紙の供給が一定にできなくなったり、場合によっては、機械を停止して静電気を逃がす作業を行わなければならなかった。
これに対し、本発明に係る静電防止組成物は、静電気の発生を抑えることができるので、オフセット印刷において、紙送り工程に本発明に係る静電防止組成物を噴霧する工程を付加することによって、高速回転で供給される紙によって発生する静電気を抑えることが可能となり、紙の供給を一定にできる。勿論、機械を停止して静電気を逃がす作業を不要とできる。